(57)【要約】【課題】簡単な構成で高い防塵効果を得られ、外部からの意図的な操作による、誤動作、破壊などを防止できるディスク装置を提供する。【解決手段】ディスクまたはディスクを収納したカートリッジを挿入または排出する搬送部材と、搬送部材が挿入または排出される際の開口部を有する装置本体と、搬送部材が装置本体に挿入された状態で、開口部を閉鎖するフロントドアと、フロントドアを開口部を閉鎖する方向へ付勢する付勢バネと、搬送部材と係合し、装置本体にスライド可能に支持されるスライド部材と、スライド部材と係合し、装置本体に回動軸を中心に回動自在に支持されるロック部材とを備え、搬送部材が前記装置本体の内部に挿入され、開口部がフロントドアにより閉鎖された状態において、ロック部材がスライド部材の移動動作に連動して回動し、フロントドアを閉鎖する方向へ押圧する。【選択図】図１
2007172692.tif 000002
【特許請求の範囲】
【請求項１】
ディスクまたはディスクを収納したカートリッジを挿入または排出する搬送部材と、前記搬送部材が挿入または排出される際の開口部を有する装置本体と、
前記搬送部材が前記装置本体に挿入された状態で、前記開口部を閉鎖するフロントドアと、
前記フロントドアを前記開口部を閉鎖する方向へ付勢する付勢バネと、
前記搬送部材と係合し、前記装置本体にスライド可能に支持されるスライド部材と、
前記スライド部材と係合し、前記装置本体に回動軸を中心に回動自在に支持されるロック部材とを備え、
前記搬送部材が前記装置本体の内部に挿入され、前記開口部が前記フロントドアにより閉鎖された状態において、前記ロック部材は、前記スライド部材の移動動作に連動して回動し、前記フロントドアを閉鎖する方向へ押圧することを特徴とするディスク装置。
【請求項２】
前記装置本体は、ディスクに信号を記録／再生するヘッドと、前記ヘッドを搭載するトラバースベースを有し、前記スライド部材は、前記トラバースベースと係合し、スライド動作することにより、前記トラバースベースを昇降動作させることを特徴とする請求項１記載のディスク装置。
【請求項３】
前記フロントドアは、防塵パッドをさらに備え、前記開口部を前記フロントドアにより閉鎖した状態において、前記防塵パッドは、前記フロントドアと前記装置本体との間で弾性変形することを特徴とする請求項１または２に記載のディスク装置。
【請求項４】
前記ロック部材は、前記スライド部材と係合する第１の係合部と、前記フロントドアを押圧する第２の係合部とを備え、前記ロック部材の前記回動軸から第１の係合部までの距離Ｌ１と、前記回動軸から前記第２の係合部までの距離Ｌ２の関係が、Ｌ１＞Ｌ２となることを特徴とする請求項１から３のいずれか１項に記載のディスク装置。
【請求項５】
前記ロック部材は、前記装置本体の外部から前記ロック部材を回動させることが可能な操作部を有し、前記操作部を操作することにより、前記スライド部材を動作させ、前記搬送部材を前記装置本体から排出する方向へ動作させることを特徴とする請求項１から４のいずれか１項に記載のディスク装置。
【請求項６】
前記ロック部材の前記回動軸から前記操作部までの距離Ｌ３と、前記回動軸から前記第２の係合部までの距離Ｌ２との関係が、Ｌ３＞Ｌ２となることを特徴とする請求項５に記載のディスク装置。
【請求項７】
前記ロック部材は、前記フロントドアを強制的に開けられた場合に、前記フロントドアの係合部との当接により、前記回動軸を中心に回動して、前記スライド部材を移動させることを特徴とする請求項１から６のいずれか１項に記載のディスク装置。
【請求項８】
前記装置本体は、前記搬送部材が挿入され、前記トラバースベースが上昇したことを検出する検出部を備え、前記ヘッドにより、前記ディスクの信号の記録／再生を行っている際に、前記ロック部材が、外部からの操作により、回動することにより、前記検出部の状態変化を検出して、ディスクモータの停止または前記ヘッドの記録／再生動作を停止することを特徴とする請求項２に記載のディスク装置。
【発明の詳細な説明】
【技術分野】
【０００１】
本発明は、光ディスク等のディスク状のデータ記憶媒体にデータを記録することおよび／またはデータ記憶媒体からデータを再生することを行うディスク装置に関する。
【背景技術】
【０００２】
近年、光ディスクや磁気ディスク等、ディスクのみを持ち運びおよび交換することが可能なディスク状データ記録媒体（以下単にディスクと呼ぶ）が広く普及しており、用途に応じて様々な形態の媒体が存在している。たとえばレーザビームを用いてデータの記録や再生を行うディスクには、読み出し専用の再生型ディスク（ＣＤ−ＲＯＭ、ＤＶＤ−ＲＯＭ等）、１度だけ記録可能な追記型ディスク（ＣＤ−Ｒ、ＤＶＤ−Ｒ等）、繰り返し記録が可能な書き換え型ディスク（ＰＤ、ＤＶＤ−ＲＡＭ等）の複数の形態が存在する。書き換え型ディスクは、傷や埃からディスクを保護するため、カートリッジに収納されている場合もある。
【０００３】
このようなディスクの記録または再生を行うディスク装置では、ディスクの装填、排出には一般的にトレイを用いる機構が採用されている。この機構によれば、トレイにディスクを載置し、トレイごとディスク装置内へ挿入したり、ディスク装置から排出させたりすることにより、ディスクの装填、排出が行われる。トレイによるこの動作は、ユーザに分かりやすく、比較的簡単な構造でこの機構を実現できる。このため、多くのディスク装置にトレイを用いた構造が採用されている。
【０００４】
トレイを用いた従来のディスク装置の一例を図１０に示す。図１０において、図１０（ａ）は、トレイ２１０が排出された状態を示す斜視図で、図１０（ｂ）は、トレイ２１０が挿入された状態を示す斜視図である。
【０００５】
図１０（ａ）に示すように、従来のディスク装置２００では、装置本体２１０の前面に開口部２１５を構成し、この開口部２１５からトレイ２２０を装置本体２１０の内外（矢印２２０Ａ、２２０Ｂ方向）に出し入れ自在に取り付けられている。トレイ２２０には、ほぼ円形の凹部２２５が設けられており、ディスク１０をこの凹部２２５に載置して、トレイ２２０に矢印２２０Ａ方向への駆動指令を与えることで、図示しないトレイ駆動機構によって、図１０（ｂ）に示すように、トレイ２２０が装置本体２１０内部に引き込まれる。トレイ２２０の前面には、蓋部２３０が構成されており、トレイ２２０が装置本体２１０に引き込まれた際に、図１０（ｂ）に示すように、蓋部２３０によって開口部２１５を遮へいする構造となっている。トレイ２２０が挿入された後では、トレイ２２０は機械的にロックされるため、トレイ２２０を手動で引き出すことは不可能であり、外部から装置内部に指や異物が挿入されることを防止する。また、装置本体２１０内部への塵埃の進入を防止するために、蓋部２３０の背面に弾性部材からなる防塵パッド２３５を貼り付けて、トレイ２２０が挿入された際に、開口部２１５周囲と密着して、装置本体２１０の気密を保つディスク装置が提案されている（たとえば、特許文献１）。
【０００６】
上述したディスク装置２００は、ディスク単体のみに対応するトレイであったが、特許文献２では、カートリッジおよび単体ディスクに対応したトレイを用いたディスク装置が開示されている。このディスク装置３００の一例を図１１に示す。図１１において、図１１（ａ）は、トレイ３２０が排出された状態を示す斜視図で、図１１（ｂ）は、トレイ３２０が挿入された状態を示す斜視図である。
【０００７】
図１１（ａ）に示すように、カートリッジおよび単体ディスクに対応したディスク装置３００では、図１０に示すトレイ２２０のように、トレイ前面に蓋部２３０を構成すると、カートリッジ１５の載置および取り出しを行う際に、カートリッジ１５を保持する箇所がカートリッジ１５の側面部に限定され不便を生じるため、トレイ前面に蓋部２３０を構成せずに、矢印３３０Ａまたは３３０Ｂ方向に回動するフロントドア３３０によって、開口部３１５を塞ぐ構成としている。トレイ３２０には、ディスク１０を載置するほぼ円形の凹部３２５と、カートリッジ１５を載置する際のガイド機能を有するガイド壁３２６ａ、３２６ｂが設けられており、カートリッジの載置性をよくするために、トレイ３２０の前面には蓋部が構成されていない。
【０００８】
トレイ３２０に、ディスク１０またはカートリッジ１５を載置して、トレイ３２０に矢印３２０Ａ方向への駆動指令を与えることで、図示しないトレイ駆動機構によって、図１１（ｂ）に示すように、トレイ３２０が装置本体３１０内部に引き込まれ、フロントドア３３０が付勢バネ（図示しない）のバネ力によって矢印３３０Ａ方向に回動して、開口部３１５を遮へいする。付勢バネによって開口部３１５をドア３３０で遮へいするだけでは、外部から装置内部への指や異物の挿入を防止することができないため、ディスク装置３００では、トレイ３２０の挿入動作に連動したロック機構を設けている。
【０００９】
図１２（ａ）に示すように、トレイ３２０が排出されているときは、フロントドア３３０はトレイ３２０によって、付勢バネ（図示しない）の付勢力に抗して、矢印３３０Ｂ方向に押し倒されている。トレイ３２０が矢印３２０Ａ方向に駆動され、図１２（ｂ）に示すように、トレイ３２０が装置３１０内部に挿入されると、フロントドア３３０は付勢バネ（図示せず）によって、矢印３３０Ａ方向に回動し、開口部３１５を閉鎖する。このとき、トレイ３２０の挿入動作が完了するのに同期して、ロックピン３４０がフロントドア３３０の回動軸方向に突出し、フロントドア３３０の係合部３３１と係合する。このロックピン３４０によって、フロントドア３３０の矢印３３０Ｂ方向への回転を規制してロックを行う構成である。
【特許文献１】特開２０００−１１５１０号公報
【特許文献２】特開２００３−２４２７０５号公報
【発明の開示】
【発明が解決しようとする課題】
【００１０】
しかし、このようなカートリッジ１５に対応したディスク装置３００において、防塵性を高めるために、フロントドア３３０背面に防塵パッドを構成した場合、フロントドア３３０の回動をバネ力のみで行うため、防塵パッドの厚みや貼付作業のばらつきによって、ドア３３０が完全に回動せず、ロックピン３４０がフロントドア３３０の係合部３３１と係合しない可能性がある。
【００１１】
また、外部から強制的にフロントドア３３０を開けられると、ロックピン３４０によって、フロントドア３３０の開放方向（矢印３３０Ｂ方向）の回転を完全に規制しているため、部品破壊を生じる可能性がある。
【００１２】
さらに、外部から意図的にフロントドア３３０を開けたまま、トレイ３２０の挿入動作を行った場合、挿入動作が完了したにもかかわらず、ロックピン３４０がフロントドア３３０の係合部３３１と係合せずにトレイ３２０の挿入動作が完了してしまい、フロントドア３３０のロックを行うことができない場合がある。
【００１３】
本発明は上記の課題を鑑み、簡単な構成で高い防塵効果を得られ、外部からの意図的な操作による、誤動作、破壊などを防止できるディスク装置を提供することを目的とする。
【課題を解決するための手段】
【００１４】
本発明のディスク装置は、ディスクまたはディスクを収納したカートリッジを挿入または排出する搬送部材と、前記搬送部材が挿入または排出される際の開口部を有する装置本体と、前記搬送部材が前記装置本体に挿入された状態で、前記開口部を閉鎖するフロントドアと、前記フロントドアを前記開口部を閉鎖する方向へ付勢する付勢バネと、前記搬送部材と係合し、前記装置本体にスライド可能に支持されるスライド部材と、前記スライド部材と係合し、前記装置本体に回動軸を中心に回動自在に支持されるロック部材とを備え、前記搬送部材が前記装置本体の内部に挿入され、前記開口部が前記フロントドアにより閉鎖された状態において、前記ロック部材は、前記スライド部材の移動動作に連動して回動し、前記フロントドアを閉鎖する方向へ押圧する。
【００１５】
ある好ましい実施の形態において、前記装置本体は、ディスクに信号を記録／再生するヘッドと、前記ヘッドを搭載するトラバースベースを有し、前記スライド部材は、前記トラバースベースと係合し、スライド動作することにより、前記トラバースベースを昇降動作させる。
【００１６】
ある好ましい実施の形態において、前記フロントドアは、防塵パッドをさらに備え、前記開口部を前記フロントドアにより閉鎖した状態において、前記防塵パッドは、前記フロントドアと前記装置本体との間で弾性変形する。
【００１７】
ある好ましい実施の形態において、前記ロック部材は、前記スライド部材と係合する第１の係合部と、前記フロントドアを押圧する第２の係合部とを備え、前記ロック部材の前記回動軸から第１の係合部までの距離Ｌ１と、前記回動軸から前記第２の係合部までの距離Ｌ２の関係が、Ｌ１＞Ｌ２となる。
【００１８】
ある好ましい実施の形態において、前記ロック部材は、前記装置本体の外部から前記ロック部材を回動させることが可能な操作部を有し、前記操作部を操作することにより、前記スライド部材を動作させ、前記搬送部材を前記装置本体から排出する方向へ動作させる。
【００１９】
ある好ましい実施の形態において、前記ロック部材の前記回動軸から前記操作部までの距離Ｌ３と、前記回動軸から前記第２の係合部までの距離Ｌ２との関係が、Ｌ３＞Ｌ２となる。
【００２０】
ある好ましい実施の形態において、前記ロック部材は、前記フロントドアを強制的に開けられた場合に、前記フロントドアの係合部との当接により、前記回動軸を中心に回動して、前記スライド部材を移動させる。
【００２１】
ある好ましい実施の形態において、前記装置本体は、前記搬送部材が挿入され、前記トラバースベースが上昇したことを検出する検出部を備え、前記ヘッドにより、前記ディスクの信号の記録／再生を行っている際に、前記ロック部材が、外部からの操作により、回動することにより、前記検出部の状態変化を検出して、ディスクモータの停止または前記ヘッドの記録／再生動作を停止する。
【発明の効果】
【００２２】
本発明のディスク装置によれば、ロックレバーによって、フロントドアを開口部が閉鎖する方向に押圧することにより、フロントドアをロックするとともに、防塵パッドを構成したフロントドアを開口部に押しつけて、防塵性の向上を図ることができる。
【００２３】
また、外部からフロントドアを強制的に開けた場合でも、過度な力が作用したときにロックレバーが回動することにより、機構部品の破壊を防止することができる。
【００２４】
また、外部から意図的にフロントドアを開けたまま、トレイの挿入動作を行った場合でも、ロックレバーとフロントドアの係合部が当接することによって、フロントドアが開いたままトレイの挿入動作が完了するのを防止することができる。
【発明を実施するための最良の形態】
【００２５】
以下、本発明のディスク装置の実施形態について図面を参照しながら説明する。まず、図１から図４を用いて、本実施形態のディスク装置５００の構造を説明する。
【００２６】
図１は、本発明のディスク装置５００の外観を示す斜視図で、図１（ａ）はトレイ７０が排出された状態を示し、図１（ｂ）はトレイ７０が挿入された状態を示す。また、図２は、本発明のディスク装置５００の分解斜視図である。
【００２７】
図１に示すように、ディスク装置５００は、トレイ７０が挿入／排出するための開口部５４０を有している。
【００２８】
開口部５４０は、後述するベースシャーシ５０と天板６０によって構成され、図１（ｂ）に示すように、トレイ７０が挿入された時には、フロントドア１１０によって開口部５４０は閉鎖される。
【００２９】
フロントドア１１０は、回動軸１１０Ａを中心に、ベースシャーシ５０に矢印１１０Ａまたは１１０Ｂ方向へ回動自在に支持され、図１（ａ）に示すように、トレイ７０が排出された時には、トレイ７０に押し倒されて、矢印１１０Ｂ方向に回動して、開口部５４０を開口する。
【００３０】
図２に示すように、ディスク装置５００は、トラバースベース２０と、ディスクカートリッジ１５に収納されたディスク１０を回転駆動するスピンドルモータ３０と、記録および／または再生を行う光ピックアップ４０とを備える。
【００３１】
スピンドルモータ３０は、ディスク１０を保持するためのディスク載置面３０ａを有し、トラバースベース２０に固定されている。光ピックアップ４０は、ガイド軸４１および４２に沿って移動可能なように、トラバースベース２０上に支持されている。トラバースベース２０上には送りモータ４３が設けられており、光ピックアップ４０をガイド軸４１および４２に沿って移動させる。光ヘッドの移動方向は、ディスク１０の半径方向とおおよそ一致している。
【００３２】
ディスク装置５００は、ベースシャーシ５０と、天板６０と、トレイ７０をさらに備える。ベースシャーシ５０は、トラバースベース２０を支持し、トレイ７０を矢印７０Ａの方向および７０Ｂの方向へ移動可能にガイドする。また、ベースシャーシ５０には、トレイ７０を矢印７０Ａの方向および７０Ｂの方向に移動させる駆動モータ５１と、駆動モータ５１の駆動力を減速および伝達するためのギア列５２が設けられている。駆動モータ５１およびギア列５２はトレイ７０の下方に位置しており、図３に示すようにトレイ７０の裏面に構成されるラック部７１とギア列５２とが係合することにより、トレイ７０が駆動される。
【００３３】
天板６０には、ディスク１０をスピンドルモータ３０のディスク載置面３０ａとで挟持するクランパ６１と、クランパ支持部６２とが設けられており、ベースシャーシ５０に取り付けられている。
【００３４】
トレイ７０には、ディスクカートリッジ１５を載置する際のガイド機能を有するガイド壁７１ａ、７１ｂが設けられている。また、トレイ７０にはディスクカートリッジ１５の位置決め穴１６ａおよび１６ｂと係合する固定ピン７２ａ、７２ｂが設けられている。固定ピン７２ａ、７２ｂと位置決め穴１６ａ、１６ｂとの係合によって、トレイ７０上でディスクカートリッジ１５は位置決めされる。
【００３５】
また、トレイ７０には、ディスクカートリッジ１５に収納されていないディスク１０を直接載置するために円形状の凹部７０ｒが設けられている。凹部７０ｒの底部には、スピンドルモータ３０および光ピックアップ４０がディスク１０に接近するための開口部７０ｗが設けられている。
【００３６】
また、トレイ７０に載置されたディスクカートリッジ１５を取り出しやすくするために、ディスクカートリッジ側面の一部を露出させるための切り欠き７０ｓがトレイ７０の前面に設けられている。
【００３７】
トレイ７０には、ディスクカートリッジ１５のシャッター１５ａと係合して開閉するオープナー７３が、矢印８０Ａならびに矢印８０Ｂ方向に移動可能に設けられている。オープナー７３は、天板６０の裏面に設けられるカム溝（図示せず）と係合し、トレイ７０の挿入／排出動作に応じて、シャッター１５ａの開閉を行う。
【００３８】
スライドカム８０は、ベースシャーシ５０に矢印８０Ａおよび矢印８０Ｂ方向へ移動可能に支持され、トラバースベース２０に設けられたガイドピン２１とカム溝を介して係合しており、矢印８０Ａ方向ならびに矢印８０Ｂ方向に移動することで、トラバースベース２０を上下に駆動する。
【００３９】
また、スライドカム８０には、ラックギア８０ａが設けられており、ギア列５２と係合することで、矢印８０Ａおよび８０Ｂ方向に駆動される。
【００４０】
スライドカム８０の係合部８１は、図３に示すトレイ７０の裏面に構成されるカム溝７５と係合する。カム溝７５のコーナー部７５ａを係合部８１が通過するときは、スライドカム８０のラックギア８０ａがギア列５２と係合または離脱する。すなわち、スライドカム８０の係合部８１が、カム溝７５のコーナー部７５ａを通過するときには、トレイ７０とスライドカム８０の駆動が切り替わる。この切り替え動作により、１つの駆動モータ５１で、トレイ７０の挿入／排出動作と、トラバース２０の昇降動作を行う。
【００４１】
ロックレバー９０は、ベースシャーシ５０に回動支持され、先端部の係合部９０ａはスライドカム８０と係合する。したがって、図４に示すように、ロックレバー９０は、係合部９０ａを介してスライドカム８０と係合し、スライドカム８０の矢印８０Ａ方向および矢印８０Ｂ方向の動きに同期して、回動軸９１を中心に矢印９０Ａおよび矢印９０Ｂ方向に回動する。
【００４２】
また、ロックレバー９０には、当接部９２が設けられており、フロントドア１１０の係合部１１３と当接して、フロントドア１１０の矢印１１０Ｂ方向への回動を規制する。なお、動作の詳細については後述する。
【００４３】
スイッチ基板１００は、ロックレバー９０の下方に設けられて、ベースシャーシ５０に取り付けられている。図４（ａ）に示すようにトレイ７０が排出した状態では、スライドカム８０によってスイッチ１０１ａが押されて、トレイ排出完了を検出し、また、図４（ｂ）に示すように、トレイ７０が挿入された状態では、ロックレバー９０によってスイッチ１０１ｂが押されてローディング動作完了（トレイ７０が挿入されてトラバース２０の上昇が完了）を検出する。
【００４４】
フロントドア１１０は、回動軸１１０ａを中心に、ベースシャーシ５０に対して矢印１１０Ａおよび矢印１１０Ｂ方向に回動自在に取り付けられており、付勢バネ１１１により矢印１１０Ａ方向に付勢される。
【００４５】
また、フロントドア１１０には開口部５４０を閉鎖したときのディスク装置５００の防塵性を向上するために、防塵パッド１１２が設けられている。たとえば、防塵パッド１１２は、スポンジや、ゴムなどで構成され、開口部５４０に当接した際に、弾性変形することで密閉度を高める働きをする。
【００４６】
ベースシャーシ５０は、装置への衝撃を緩衝するための、ゴムなどの弾性部材で構成されるダンパを介してフレーム５１０に支持される。フレーム５１０に、ディスク装置５００の外殻をなす上部筐体５２０および下部筐体５３０が取り付けられ、ディスク装置５００の外殻が構成される。
【００４７】
次に、以上のように構成されるディスク装置５００におけるフロントドア１１０のロック動作について図５〜図８を用いて説明する。
【００４８】
図５〜図７は、トレイ７０の位置におけるロックレバー９０、フロントドア１１０の動作状態を示しており、図５は、トレイ７０が完全に排出された状態、図６は、トレイ７０が挿入または排出途中の状態、図７は、トレイ７０が完全に挿入されローディングが完了した状態をそれぞれ示す。なお、各図において、（ａ）は平面図を示し、（ｂ）は側面図を示す。図８は、ロックレバー９０の係合部９０ａ、当接部９２、操作部９３の位置関係を説明する動作図で、図８（ａ）は図７の時の状態、図８（ｂ）は図６の時の状態をそれぞれ示す。
【００４９】
図５に示すように、トレイ７０が排出された状態にあるとき、スライドカム８０は、トレイ７０のカム溝７５により、ディスク装置５００の左側に位置する。このとき、ロックレバー９０は、スライドカム８０により矢印９０Ｂ方向に回動しており、ロックレバー９０の当接部９２とフロントドア１１０の係合部１１３は接触していない。つまり、フロントドア１１０は矢印１１０Ａならびに１１０Ｂ方向に回動自在である。したがって、トレイ７０が排出されている状態では、フロントドア１１０はトレイ７０により、矢印１１０Ｂ方向に押し倒されており、開口部５４０が開口している。
【００５０】
なお、このとき、検出スイッチ１０１ａが、スライドカム８０により押されることで、トレイ７０の排出完了を検出している。
【００５１】
図５の状態から、駆動モータ５１によって、トレイ７０が矢印７０Ａ方向に挿入されると、図６に示すように、フロントドア１１０は、付勢バネ１１１のバネ力によって、トレイ７０に当接しながら、矢印１１０Ａ方向に回動する。そして、トレイ７０のカム溝７５のコーナー部７５ａにより、スライドカム８０が矢印８０Ａ方向に移動をはじめ、それと係合するロックレバー９０も矢印９０Ａ方向に回動を開始する。このとき、フロントドア１１０は矢印１１０Ａ方向に回動しているため、ロックレバー９０は、フロントドア１１０の係合部１１３と当接することなく回動する。
【００５２】
図６の状態から、さらにトレイ７０が矢印７０Ａ方向に挿入されると、トレイ７０とスライドカム８０と駆動が切り替わり、図７に示すように、スライドカム８０が矢印８０Ａ方向へ移動し、トレイ７０が挿入され、トラバースベース２０が上昇して、ローディング動作が完了する。
【００５３】
なお、このとき、検出スイッチ１０１ｂが、スライドカム８０の移動とともに回動するロックレバー９０により押されることで、ローディング動作完了を検出している。
【００５４】
フロントドア１１０は、付勢バネ１１１のバネ力によって、矢印１１０Ａ方向に回動し、開口部５４０を閉鎖する。このとき、スライドカム８０が矢印８０Ａに移動することによって、ロックレバー９０が矢印９０Ａ方向に回動するため、ロックレバー９０の当接部９２は、フロントドア１１０の係合部１１３を矢印７０Ｂ方向に押圧する。回動軸１１０ａは、フロントドア１１０と係合部１１３の間に設けられているため、ロックレバー９０によって、係合部１１３を矢印７０Ｂ方向に押圧すると、フロントドア１１０は、回動軸１１０ａを中心に回動し、矢印１１０Ａ方向に押圧されることになる。この押圧動作によって、フロントドア１１０は矢印１１０Ｂ方向への回動を規制され、フロントドア１１０のロックが行われる。
【００５５】
ところが、スライドカム８０は、減速ギア列５２を介して、駆動モータ５１に伝達されているので、駆動モータ５１および減速ギア列５２による負荷により、矢印８０Ｂ方向への移動にある程度の力を必要とするが、移動を機械的にロックされてはいない。そのため、フロントドア１１０を矢印１１０Ｂ方向に、強制的に回動すると、係合部１１３を介して、ロックレバー９０が矢印９０Ｂ方向に回動して、スライドカムを８０を矢印８０Ｂ方向に移動させることができる。
【００５６】
そこで、本発明のディスク装置では、図８に示すように、スライドカム８０と係合する係合部９０ａと回動軸９１との距離Ｌ１と、フロントドア１１０の係合部１１３と当接する当接部９２と回動軸９１との距離Ｌ２の関係を、Ｌ１＞Ｌ２となるようにすることで、Ｌ１／Ｌ２の半径比を利用して、フロントドア１１０のロック力を発生させている。つまり、スライドカム８０を矢印８０Ｂ方向に移動させるために、係合部９０ａに作用する力をＦとすると、当接部９２を介して、ロックレバー９０を矢印９０Ｂ方向に回動させる力Ｐは、Ｐ＝（Ｌ１／Ｌ２）×Ｆとなり、スライドカム８０を矢印８０Ｂ方向に移動させる力をＬ１／Ｌ２倍に拡大する。したがって、Ｌ１＞Ｌ２の関係となる位置に当接部９２を設けることによって、ロックレバー９０を回動させるには、スライドカム８０を動かすよりも大きな力が必要となり、フロントドア１１０の矢印１１０Ｂ方向への回動を規制するある程度のロック力を得ることができる。
【００５７】
また、逆に、外部から強制的にフロントドア１１０を矢印１１０Ｂ方向に開いた場合、前述したロック力以上の力が当接部９２に作用すると、フロントドア１１０の係合部１１３を介して、ロックレバー９０は矢印９０Ｂ方向に回動するため、外部から作用した過度な力、言い換えればロック力以上の力を逃がすことができる。したがって、フロントドア１１０や他の機構部品にロック力に耐える強度を持たせておけば、外部から強制的にフロントドア１１０を開いた際の部品破損を防止することができる。
【００５８】
また、このとき、ロックレバー９０が回動することで、検出スイッチ１０１ｂの状態が変化するので、外部からの異常動作を検出することができる。この検出により、例えば、スピンドルモータ３０の回転を停止し、光ピックアップ４０のレーザー発光を停止するといった動作を行うことができる。
【００５９】
また、付勢バネ１１１のバネ力だけで開口部５４０を閉鎖した場合、フロントドア１１０に貼り付けられた防塵パッド１１２の弾性力とのバランスによっては、開口部５４０が完全に閉鎖されない場合が発生するが、本発明のディスク装置では、ロックレバー９０によって、フロントドア１１０を矢印１１０Ａ方向に押圧するため、フロントドア１１０に貼り付けられた防塵パッド１１２を開口部５４０に押しつけることができ、ディスク装置５００の防塵性を高めることができる。
【００６０】
トレイ７０を排出するときは、図５〜図７の逆手順で動作する。つまり、図７の状態から、駆動指令によって、スライドカム８０が矢印８０Ｂ方向に移動を開始し、図６の状態を経て、トレイ７０とスライドカム８０の駆動が切り替わり、トレイ７０が矢印７０Ｂ方向へ駆動される。そして、トレイ７０の移動によって、フロントドア１１０は矢印１１０Ｂ方向へ押し倒され、図５に示す状態までトレイ７０が移動して、スライドカム８０によって検出スイッチ１０１ａが押されて、トレイ７０の排出動作が完了する。
【００６１】
また、本発明のディスク装置５００では、図６〜図８に示すように、イジェクトピン１２０によって、ロックレバー９０の操作部９３を矢印７０Ａ方向に押すことにより、強制的にロックレバー９０を矢印９０Ｂ方向に回動させ、スライドカム８０を矢印８０Ｂ方向に動作して、トレイ７０を強制的に排出することができる。
【００６２】
本発明のディスク装置では、図８（ａ）に示すように、イジェクトピン１２０が作用する操作部９３と回動軸９１との距離Ｌ３と、フロントドア１１０の係合部１１３と当接する当接部９２と回動軸９１との距離Ｌ２の関係を、Ｌ３＞Ｌ２となるようにすることで、Ｌ３／Ｌ２の半径比を利用して、イジェクトピン１２０でロックレバー９０を矢印９０Ｂ方向に回動させる力をロック力より小さくしている。
【００６３】
なお、図８（ｂ）に示すように、イジェクトピン１２０は矢印７０Ａ方向に、直進して作用するのに対して、ロックレバー９０は回動軸９１を中心に回動するため、ロックレバー９０が矢印９０Ｂ方向に回動するにしたがって、イジェクトピン１２０が作用する操作部９３と回動軸９１との距離が大きくなりＬ３’となるが、Ｌ３’／Ｌ２の半径比も同様に大きくなるので、イジェクトピン１２０でロックレバー９０を回動させる力はより小さくなる。
【００６４】
このトレイ７０を強制的に排出する機能は、ディスク装置５００が故障した際に、内部に取り残されたディスク１０を取り出すために使用される。この機能は、緊急時対応のために必要な機能であり、本発明のディスク装置では、この強制排出機能を行う部材であるロックレバー９０を使って、フロントドア１１０のロック動作を行うことにより、部品点数の増加もなく、フロントドア１１０のロック機能および防塵性の向上を実現している。
【００６５】
次に、通常の動作とは異なり、意図的にフロントドア１１０が開けられた状態で、トレイ７０を挿入した場合の動作について説明する。
【００６６】
図９は、フロントドア１１０が強制的に開けられた状態でトレイ７０が挿入されたときの動作状態を示し、（ａ）は平面図を示し、（ｂ）は側面図を示す。
【００６７】
トレイ７０が矢印７０Ａ方向に挿入されると、前述したように、トレイ７０のカム溝７５のコーナー部７５ａによって、トレイ７０とスライドカム８０の駆動が切り替わり、スライドカム８０が矢印８０Ａ方向に移動する。このスライドカム８０の移動によって、ロックレバー９０が矢印９０Ａ方向に回動すると、フロントドア１１０が開いたままであるため、フロントドア１１０の係合部１１３にロックレバー９０の当接部９２が当接してしまい、ロックレバー９０が矢印９０Ａ方向へ回動できず、スライドカム８０の移動が停止する。したがって、フロントドア１１０が開いたままで、トレイ７０が挿入されないため、ローディング動作が完了してしまうことはない。例えば、一定時間経過しても、検出スイッチ１０１ｂがローディング動作完了を検出しないことで、このトレイ７０の挿入動作異常を検出して、トレイ７０の動作を停止または駆動反転を行ってもよい。
【００６８】
以上の説明から、本発明のディスク装置によれば、ロックレバー９０によって、フロントドア１１０を開口部５４０が閉鎖する方向に押圧することにより、フロントドア１１０をロックするとともに、防塵パッド１１２を構成したフロントドア１１０を開口部５４０に押しつけて、防塵性の向上を図ることができる。
【００６９】
また、外部からフロントドア１１０を強制的に開けた場合でも、過度な力、言い換えれば、ロック力よりも大きな力が作用したとき、ロックレバー９０が回動することにより、機構部品の破壊を防止することができる。
【００７０】
また、外部から意図的にフロントドア１１０を開けたまま、トレイ７０の挿入動作を行った場合でも、ロックレバー９０とフロントドア１１０の係合部１１３が当接することによって、フロントドア１１０が開いたまま、トレイ７０の挿入されローディング動作が完了するのを防止することができる。
【００７１】
なお、本実施形態では、トレイ７０上に固定ピン７２ａ、７２ｂを構成することにより、ディスクカートリッジ１５をトレイ７０に対して位置決めを行っているが、ディスクカートリッジ１５の位置穴１６ａ、１６ｂに係合する位置決めピンはトレイ７０上に固定されていなくてもよい。例えば、トラバースベース２０に位置決めピンを構成して、トレイ７０上には位置決めピンが通過できる穴が空いている構造としてカートリッジの位置決めをしてもよい。
【００７２】
また、本実施形態では、ローディング動作完了を検出する検出スイッチ１０１ｂを、ロックレバー９０により、動作させて検出を行っているが、これに限定されることなく、例えば、スライドカム８０で動作させて検出してもよい。
【００７３】
また、本実施形態では、トレイ７０にディスクカートリッジ１５が載置できる構成としているが、これに限定されることなく、ディスク１０単体にのみ対応したトレイであってもよい。
【００７４】
また、本実施形態では、防塵性の向上のために、防塵パッド１１２を構成したが、これに限定されることなく、例えば、フロントドア１１０の閉鎖音の低減のために、弾性部材を設けても良い。
【００７５】
また、本実施形態では、防塵性の向上のために、防塵パッド１１２を構成したが、これに限定されることなく、例えば、外部からの意図的な動作を防止する目的であれば、防塵パッド１１２を構成しなくても良い。
【００７６】
また、この上部筐体５２０と下部筐体５３０とで構成されるディスク装置５００の外形寸法の高さＨ１が、例えば４１．３ｍｍであってもよい。外形寸法の幅は、例えば１４６ｍｍであってもよい。外形寸法の奥行きは、例えば１９０ｍｍであってもよい。
【産業上の利用可能性】
【００７７】
本発明のディスク装置は、カートリッジおよび単体ディスクに対応したディスク装置に適合し、簡単な構成で高い防塵効果を得ることができる。また、外部からの意図的な操作による、誤動作、破壊を防止するディスク装置に好適に用いられる。
【図面の簡単な説明】
【００７８】
【図１】（ａ）本発明のディスク装置の実施形態の外観を示す斜視図で、トレイが排出された状態を示す図（ｂ）本発明のディスク装置の実施形態の外観を示す斜視図で、トレイが挿入された状態を示す図
【図２】本発明のディスク装置の実施形態の構成を示す分解斜視図
【図３】トレイの裏面側から見た斜視図
【図４】（ａ）ロック機構部の構成を示す斜視図で、トレイが排出された状態を示す図（ｂ）ロック機構部の構成を示す斜視図で、トレイが挿入された状態を示す図
【図５】ロック機構部の動作中の一状態を示す動作図で、（ａ）は平面図、（ｂ）は側面図
【図６】（ａ）ロック機構部の動作中の一状態を示す動作図で平面図（ｂ）ロック機構部の動作中の一状態を示す動作図で側面図
【図７】（ａ）ロック機構部の動作中の一状態を示す動作図で平面図（ｂ）ロック機構部の動作中の一状態を示す動作図で側面図
【図８】ロックレバーの係合部、当接部および操作部の位置関係を説明する動作図
【図９】（ａ）フロントドアが開けられた状態で、トレイが挿入した場合のロック機構部の動作図で平面図（ｂ）フロントドアが開けられた状態で、トレイが挿入した場合のロック機構部の動作図で側面図
【図１０】（ａ）従来のディスク装置の一例を示す外形斜視図で、トレイが排出された状態を示す図（ｂ）従来のディスク装置の一例を示す外形斜視図で、トレイが挿入された状態を示す図
【図１１】（ａ）従来のディスク装置の別の一例を示す外形斜視図で、トレイが排出された状態を示す図（ｂ）従来のディスク装置の別の一例を示す外形斜視図で、トレイが挿入された状態を示す図
【図１２】（ａ）図１０に示す従来のディスク装置の部分断面図で、トレイが排出された状態を示す図（ｂ）図１０に示す従来のディスク装置の部分断面図で、トレイが挿入された状態を示す図
【符号の説明】
【００７９】
１０    ディスク
１５    ディスクカートリッジ
２０    トラバースベース
３０    スピンドルモータ
４０    光ピックアップ
５０    ベースシャーシ
６０    天板
６１    クランパ
７０    トレイ
８０    スライドカム
９０    ロックレバー
９２    当接部
９３    操作部
１００    スイッチ基板
１１０    フロントドア
１１１    付勢バネ
１１２    防塵パッド
１１３    係合部
５００    ディスク装置
５１０    フレーム
５２０    上部筐体
５３０    下部筐体
５４０    開口部
【図１】
2007172692.tif 000003
【図２】
2007172692.tif 000004
【図３】
2007172692.tif 000005
【図４】
2007172692.tif 000006
【図５】
2007172692.tif 000007
【図６】
2007172692.tif 000008
【図７】
2007172692.tif 000009
【図８】
2007172692.tif 000010
【図９】
2007172692.tif 000011
【図１０】
2007172692.tif 000012
【図１１】
2007172692.tif 000013
【図１２】
2007172692.tif 000014